(57)【特許請求の範囲】
【請求項１】
読取対象物に光を照射する光源と、前記光を検知する検知手段と、前記光源と前記検知手段の間に設けられ、前記読取対象物が反射した光を前記検知手段に向けて反射するミラーと、前記ミラーと前記検知手段の間に設けられ、前記ミラーが反射した光を収束して前記検知手段に向けて照射するレンズと、前記光源、前記検知手段、前記ミラー、前記レンズを収納し、読取方向に移動可能に設けられたモジュール本体と、を有し、前記モジュール本体は、前記光源および前記ミラーを保持するメインフレームと、前記メインフレームの下部に設けられ、前記検知手段および前記レンズを保持するレンズユニットとを有する画像読取装置の読取位置調整機構であって、
前記メインフレームと前記レンズユニットの間に設けられ、前記メインフレームに対する前記レンズユニットの位置を前記メインフレーム側から調整可能に構成された調整手段を有し、
前記調整手段は、
前記メインフレームと前記レンズユニットの間に設けられた調整板と、
前記調整板を前記メインフレームに対して平行移動可能に保持する第１の保持手段と、
前記レンズユニットを前記調整板に対して傾斜可能に保持する第２の保持手段と、
を有し、
前記第１の保持手段を用いて前記調整板をスライドさせることにより、前記メインフレームに対する前記レンズユニットの平行位置を調整可能であり、
第２の保持手段を用いて前記レンズユニットを傾斜させることにより、前記メインフレームに対する前記レンズユニットの傾斜位置を調整可能であることを特徴とする画像読取装置の調整機構。
【請求項２】
前記第１の保持手段は、
前記メインフレームおよび前記調整板を貫通して設けられた第１のネジを有し、
前記第１のネジは、ネジ頭が前記メインフレーム側に設けられ、
前記第１のネジを緩めた状態で前記調整板をスライドさせることにより、前記メインフレームに対する前記レンズユニットの平行位置を調整可能であることを特徴とする請求項１記載の画像読取装置の調整機構。
【請求項３】
前記第１のネジは、前記ミラーの直下以外の場所に位置するように設けられていることを特徴とする請求項２記載の画像読取装置の調整機構。
【請求項４】
前記第２の保持手段は、
前記調整板を貫通し、前記レンズユニットに接触するように設けられた２本の第２のネジと、
前記調整板に設けられ、前記レンズユニットと接触可能に設けられた突起と、
を有し、
前記第２のネジは、ネジ頭が前記メインフレーム側に設けられ、
前記第２のネジを回転させて上下方向に移動させることにより、前記メインフレームに対する前記レンズユニットの傾斜位置を調整可能であることを特徴とする請求項１記載の画像読取装置の調整機構。
【請求項５】
前記突起は、前記調整板の一部を前記レンズユニット側に突出させてなるハーフパンチであることを特徴とする請求項４記載の画像読取装置の調整機構。
【請求項６】
前記第２のネジは、前記ミラーの直下以外の場所に位置するように設けられていることを特徴とする請求項４記載の画像読取装置の調整機構。
【請求項７】
前記第２の保持手段は、
前記レンズユニットを前記調整板側に押圧する押圧手段を有することを特徴とする請求項４記載の画像読取装置の調整機構。
【請求項８】
前記押圧手段は、前記調整板と前記レンズユニットを連結するように設けられたバネであることを特徴とする請求項７記載の画像読取装置の調整機構。
【請求項９】
請求項１〜８記載の画像読取装置の調整機構を有することを特徴とする画像読取装置。
【請求項１０】
請求項４記載の画像読取装置の調整機構を有することを特徴とする画像読取装置であって、前記メインフレームは、前記第２のネジの上方に設けられたきり欠き部を有することを特徴とする画像読取装置。
【請求項１１】
請求項９または１０のいずれかに記載の画像読取装置を有することを特徴とするスキャナ。
【請求項１２】
請求項９または１０のいずれかに記載の画像読取装置を有することを特徴とするファクシミリ。
【請求項１３】
請求項９または１０のいずれかに記載の画像読取装置の、読取画像の主走査先端位置を調整するための調整冶具であって、
読取位置を確認するための読取位置確認チャートを有し、
前記読取位置確認チャートは、前記読取位置調整機構の存在により生じる遮光範囲と基準位置が重ならないように配置されていることを特徴とする調整冶具。
【発明の詳細な説明】
【技術分野】
【０００１】
本発明は、光源、ミラー、ＣＣＤ（Charge Coupled Device）、レンズが一体となった画像読取装置の調整機構、当該調整機構を有する画像読取装置、画像読取装置を有するスキャナ、ファクシミリ、および画像読取装置を調整するための調整冶具に関する。
【背景技術】
【０００２】
従来、スキャナ等の画像読取に用いられる画像読取装置は、一定速度で移動可能な光源・ミラーを有する第１キャリッジとその半速で移動しミラーを有する第２キャリッジとＣＣＤ（Charge Coupled Device）・レンズを有する固定されたレンズユニットで構成されていた。
【０００３】
例えば、特許文献１の図７には、第１キャリッジと第２キャリッジを有し、第２キャリッジが第１キャリッジの半速で移動する画像読取装置が記載されている。
【０００４】
このような画像読取装置はレンズユニットの上部に広い空間があり、装置状態でレンズユニットの調整機構に工具を容易に当てることができる。
【０００５】
そのため、市場出荷後（スキャナ等の装置に組み込んだ後）でも読取画像の主走査先端位置・傾きなど光学系の調整が容易であった。
【０００６】
一方で、近年、カラー化や機能の向上、かつコストダウンが求められる中、上述の画像読取装置は構造的な技術は確立され、これ以上の構造簡素化や部品点数の削減が困難な状態にあった。
【０００７】
そこで、これらの課題を解決するため、光源・ミラー・ＣＣＤ・レンズを一体のモジュールとし、一定速度で移動し画像を読み取る、画像読取装置が主流になりつつある。
【０００８】
例えば、特許文献２の図３には、ミラー、レンズ、ＣＣＤ等を板金製フレーム上に設けて一体化した画像読取装置が記載されている。
【０００９】
【特許文献１】特開２０００−２５３２０９号公報
【特許文献２】特開２００５−２９２１９０号公報
【発明の開示】
【発明が解決しようとする課題】
【００１０】
特許文献２のような構造は、画像読取装置の構造の簡素化や部品点数の削減といった面では有効な構造である。
【００１１】
しかしながら、上記構造は、部品実装密度が従来の構造（例えば特許文献１記載の構造）よりも高いため、読取画像の主走査先端位置・傾きなど光学系の調整を画像読取装置の裏面から行う構造となっていた。
【００１２】
そのため、調整が必要なときに、画像読取装置が装置に組み込まれた状態では、調整ネジ等の調整機構を操作するのが困難であり、装置交換またはモジュール交換が必要となる場合があった。
【００１３】
本発明は、このような問題に鑑みてなされたもので、その目的は、装置に組み込まれた状態でも調整が可能な、画像読取装置の調整機構を提供することにある。
【課題を解決するための手段】
【００１４】
前述した目的を達成するために、第１の発明は、読取対象物に光を照射する光源と、前記光を検知する検知手段と、前記光源と前記検知手段の間に設けられ、前記読取対象物が反射した光を前記検知手段に向けて反射するミラーと、前記ミラーと前記検知手段の間に設けられ、前記ミラーが反射した光を収束して前記検知手段に向けて照射するレンズと、前記光源、前記検知手段、前記ミラー、前記レンズを収納し、読取方向に移動可能に設けられたモジュール本体と、を有し、前記モジュール本体は、前記光源および前記ミラーを保持するメインフレームと、前記メインフレームの下部に設けられ、前記検知手段および前記レンズを保持するレンズユニットとを有する画像読取装置の読取位置調整機構であって、前記メインフレームと前記レンズユニットの間に設けられ、前記メインフレームに対する前記レンズユニットの位置を前記メインフレーム側から調整可能に構成された調整手段を有し、前記調整手段は、前記メインフレームと前記レンズユニットの間に設けられた調整板と、前記調整板を前記メインフレームに対して平行移動可能に保持する第１の保持手段と、前記レンズユニットを前記調整板に対して傾斜可能に保持する第２の保持手段と、を有し、前記第１の保持手段を用いて前記調整板をスライドさせることにより、前記メインフレームに対する前記レンズユニットの平行位置を調整可能であり、第２の保持手段を用いて前記レンズユニットを傾斜させることにより、前記メインフレームに対する前記レンズユニットの傾斜位置を調整可能であることを特徴とする画像読取装置の調整機構である。
【００１５】
第２の発明は、第１の発明に記載の画像読取装置の調整機構を有することを特徴とする画像読取装置である。
【００１６】
第３の発明は、第１の発明に記載の画像読取装置の調整機構を有することを特徴とする画像読取装置であって、前記画像読取装置のメインフレームは、前記調整手段の有する前記第２のネジの上方に設けられたきり欠き部を有することを特徴とする画像読取装置である。
【００１７】
第４の発明は、第２の発明または第３の発明に記載の画像読取装置を有することを特徴とするスキャナである。
【００１８】
第５の発明は、第２の発明または第３の発明に記載の画像読取装置を有することを特徴とするファクシミリである。
【００１９】
第６の発明は、第３の発明または第４の発明に記載の画像読取装置の、読取画像の主走査先端位置を調整するための調整冶具であって、読取位置を確認するための読取位置確認チャートを有し、前記読取位置確認チャートは、前記読取位置調整機構の存在により生じる遮光範囲と基準位置が重ならないように配置されていることを特徴とする調整冶具である。
【発明の効果】
【００２０】
本発明によれば、装置に組み込まれた状態でも調整が可能な、画像読取装置の調整機構を提供することができる。
【発明を実施するための最良の形態】
【００２１】
以下、図面に基づいて本発明に好適な実施形態を詳細に説明する。
【００２２】
まず、図１を参照して、本発明の実施形態に係る調整機構１を有する画像読取装置２が設けられたスキャナ２５の概略構成を説明する。
【００２３】
図１に示すように、スキャナ２５は箱型の本体２５ａを有し、本体２５ａの上面は読取対象物を載置するガラス板２５ｂが設けられている。
【００２４】
また、本体２５ａの内部には、画像読取装置２が設けられている。
【００２５】
画像読取装置２は図示しないアクチュエータを用いて図１のＡ１、Ａ２の向きに移動可能であり、移動することにより、後述するように、読取対象物の読取を行う。
【００２６】
次に、図２〜図５を参照して、画像読取装置２の構成および動作について、簡単に説明する。
【００２７】
まず、画像読取装置２の構成について簡単に説明する。
【００２８】
図２〜図５に示すように、画像読取装置２は、読取対象物に光を照射する光源８、読取対象物が反射した光を検知手段としての後述するＣＣＤ（Charge Coupled Device）５に向けて反射するミラーとしてのミラー群７と、ミラー群７とＣＣＤ５の間に設けられ、ミラー群７が反射した光を収束して前記検知手段に向けて照射するレンズ６と、照射された光を電気信号に変換して画像を読み取るＣＣＤ５を有している。
【００２９】
なお、ミラー群７は、図５に示すように、ミラー７ａ、７ｂ、７ｃ、７ｄ、７ｅからなる。
【００３０】
また、図２〜図５に示すように画像読取装置２は、板状のメインフレーム９を有しており、図５に示すように、光源８、ミラー群７はメインフレーム９に設けられている。
【００３１】
また、図３に示すように、メインフレーム９の下部にはレンズユニット１２が設けられており、レンズ６およびＣＣＤ５はレンズユニット１２に設けられている。
【００３２】
なお、図３に示すように、レンズユニット１２はレンズ６を保持するレンズフレーム１０とＣＣＤ５を保持するＣＣＤフレーム１１を有しており、ＣＣＤ５はＣＣＤフレーム１１を介してレンズフレーム１０に保持される。
【００３３】
ここで、画像読取装置２は、メインフレーム９とレンズユニット１２とでフレーム本体を構成しており、光源８、ミラー群７、レンズ６、ＣＣＤ５がフレーム本体に一体に設けられたモジュールタイプの画像読取装置である。
【００３４】
なお、詳細は後述するが、図５に示すように、メインフレーム９とレンズユニット１２の間には調整機構１を構成する部材である、調整板１３が設けられている。
【００３５】
次に、スキャナ２５が画像を読み取る際の画像読取装置２の動作について、簡単に説明する。
【００３６】
まず、図１の状態で、スキャナ２５のガラス板２５ｂ上に読取対象物としての原稿１６を載置し、図示しないスイッチ等を押すと、画像読取装置２の光源８は読取対象物に向けて光を照射しながら、図１のＡ２の向きに移動する。
【００３７】
照射された光は読取対象物の表面で反射してミラー７ｅ、７ｄ、７ｃ、７ｂ、７ａの順に各ミラーに入射して反射され、レンズ６で収束されてＣＣＤ５に入射される。
【００３８】
即ち、読取対象物の表面で反射した光は図５の矢印Ｅ１、Ｅ２、Ｅ３、Ｅ４、Ｅ５、Ｅ６、Ｅ７の順に進行し、ＣＣＤ５に入射される。
【００３９】
ＣＣＤ５は入射した光を電気信号に変換して、スキャナ２５の図示しない制御部に送信し、制御部は受信した電気信号を元に画像を生成する。
【００４０】
画像読取装置２が原稿１６の端部、もしくはスキャナ２５の端部に達すると、読取は終了する。
【００４１】
次に、調整機構１の構造および動作について、図３〜図１１を用いて説明する。
【００４２】
まず、調整機構１の構造について説明する。
【００４３】
図３〜図１０に示すように、調整機構１は、メインフレーム９とレンズユニット１２（レンズフレーム１０）の間に設けられた調整板１３と、調整板１３とメインフレーム９を貫通して設けられた第１の保持手段としての固定ネジ１７ａ、１７ｂ（第１のネジ）と、調整板１３を貫通し、レンズフレーム１０に接触して設けられた先丸ネジ１４ａ、１４ｂ（第２のネジ）と、レンズフレーム１０を調整板１３側に押圧する押圧手段としての押圧バネ１８を有している。
【００４４】
具体的には、調整板１３は図６および図９に示すように、板状の形状を有し、図９に示すように、長手方向の端部３１ａ、３１ｂがメインフレーム９側にコの字型に折り曲げられた形状を有している。
【００４５】
端部３１ａ、３１ｂには、調整板１３の長手方向に垂直にスリット３３ａ、３３ｂが設けられている。
【００４６】
また、図９および図１０に示すように、調整板１３の長手方向の側面のうち、一方はＣＣＤ５と対向しており、他方の略中央部の一部は、レンズフレーム１０側に突出した突起としてのハーフパンチ１３ｃを構成している。
【００４７】
なお、先丸ネジ１４ａ、１４ｂ、ハーフパンチ１３ｃ、押圧バネ１８で第２の保持手段を構成している。
【００４８】
ハーフパンチ１３ｃはレンズフレーム１０に接触している。
【００４９】
なお、ＣＣＤ５は、レンズ６の特性や金属フレームの形状ばらつきによる光学系の位置ずれを規格内とするため、レンズフレーム１０に対して図３に示すａ方向、ｂ方向またはｃ方向へ移動することが可能な構造である。
【００５０】
さらに、端部３１ａ、３１ｂは、図６、図８および図９に示すように、下方に突出した突出板５１ａ、５１ｂを有している。
【００５１】
一方、固定ネジ１７ａ、１７ｂは、図４に示すように、ネジ頭がメインフレーム９側を向くように設けられている。
【００５２】
さらに、図６、図８に示すように、メインフレーム９の、端部３１ａ、３１ｂと対向する面は下方に切り曲げられた切り曲げ部１５ａ、１５ｂを構成しており、端部３１ａ、３１ｂの底面と切り曲げ部１５ａ、１５ｂの上面が接触するように設けられている。
【００５３】
即ち、レンズユニット１２（レンズフレーム１０の端部３１ａ、３１ｂ）がメインフレーム９の切り曲げ部１５ａ、１５ｂに釣り下がるように配置されている。
【００５４】
固定ネジ１７ａ、１７ｂは、端部３１ａ、３１ｂ（のスリット３３ａ、３３ｂ）および切り曲げ部１５ａ、１５ｂを貫通して設けられ、端部３１ａ、３１ｂと切り曲げ部１５ａ、１５ｂを連結している。
【００５５】
即ち、調整板１３は固定ネジ１７ａ、１７ｂによって、メインフレーム９に保持されており、図４に示すように、メインフレーム９の上方から固定ネジ１７ａ、１７ｂのネジ頭が見えるようになっている。
【００５６】
なお、図９に示すように、スリット３３ａ、３３ｂは調整板１３の長手方向と直交するように設けられており、スリット３３ａ、３３ｂの（調整板１３の長手方向の）幅３４は固定ネジ１７ａ、１７ｂのネジ幅３６よりも大きい（図７、図８参照）。
【００５７】
そのため、後述するように、固定ネジ１７ａ、１７ｂを緩めた状態では、調整板１３を図４のｄ方向およびｅ方向に移動でき、メインフレーム９に対するレンズフレーム１０の水平位置、即ち、メインフレーム９に対するレンズ６およびＣＣＤ５の向きを調整できる。
【００５８】
即ち、固定ネジ１７ａ、１７ｂは、調整板１３（およびレンズユニット１２）をメインフレーム９に対して平行移動可能に保持している。
【００５９】
また、図４に示すように、メインフレーム９に対してレンズフレーム１０を水平方向に傾斜させることもできる（図４の白矢印参照）。
【００６０】
一方、先丸ネジ１４ａ、１４ｂは、図５、図６に示すように、ネジ頭がメインフレーム９側を向くように調整板１３を貫通して設けられており、レンズフレーム１０の上面と接触する先端部は球状に形成されている。
【００６１】
なお、図４に示すように、メインフレーム９の、先丸ネジ１４ａ、１４ｂの上方に相当する位置には切り欠き部３７ａ、３７ｂが設けられ、メインフレーム９の上方から先丸ネジ１４ａ、１４ｂのネジ頭が見えるようになっている。
【００６２】
また、図９および図１０に示すように、レンズフレーム１０と調整板１３とは、ハーフパンチ１３ｃ、先丸ネジ１４ａ、１４ｂの３つの部材が接触している。
【００６３】
即ち、レンズフレーム１０は、図１０に示す、「あ」点（ハーフパンチ１３ｃとの接触点）、「い」点（先丸ネジ１４ｂとの接触点）、「う」点（先丸ネジ１４ａとの接触点）の３点で調整板１３と接触している。
【００６４】
また、押圧バネ１８は図６に示すように、Ｕ字型の形状を有し、両端部が突出板５１ａ、５１ｂに連結され、中央部がレンズフレーム１０の下面と接触している。
【００６５】
即ち、押圧バネ１８はレンズフレーム１０を調整板１３側（図６のＦ１の向きに）押圧するように構成されており、レンズフレーム１０と調整板１３とは、常時「あ」「い」「う」の３点で接触している。
【００６６】
そのため、詳細は後述するが、先丸ネジ１４ａ、１４ｂを回転させて調整板１３とレンズフレーム１０の距離を調整することにより、メインフレーム９に対するＣＣＤ５の（鉛直方向の）傾斜位置（角度）を調整できる。
【００６７】
即ち、先丸ネジ１４ａ、１４ｂ、ハーフパンチ１３ｃおよび押圧バネ１８は、レンズユニット１２を調整板１３（およびメインフレーム９）に対して傾斜可能に保持している。
【００６８】
次に、調整機構１を用いた画像読取装置２の調整方法について図４〜図９を参照して説明する。
【００６９】
なお、以下に説明する調整は、いずれも画像読取装置２がスキャナ２５に組み込まれた状態での調整である。
【００７０】
まず、固定ネジ１７ａ、１７ｂを用いた画像読取装置２の調整方法について説明する。
【００７１】
まず、画像読取装置２において、基準位置である読取範囲方向（図４のｅ方向）の光路位置は、例えば±０．２mmのずれ量以下にする必要がある。
【００７２】
ここで、図５に示すように、ドライバー等の工具１９ｂを用いて固定ネジ１７ａ、１７ｂを緩め、図４のｅ方向へ調整板１３とレンズユニット１２（レンズフレーム１０）をスライドさせることで、ＣＣＤ５の向きを微調整し、読取位置を合わせることができる。
【００７３】
なお、ｅ方向は、スリット３３ａ、３３ｂとは垂直の方向であるが、前述のように、スリット３３ａ、３３ｂの（長手方向の）幅３４は固定ネジ１７ａ、１７ｂのネジ幅３６よりも大きいため、幅３４とネジ幅３６の差分３６ａだけ、レンズユニット１２はｅ方向に移動できる（図７、図８参照）。
【００７４】
次に、画像読取装置２において、読取倍率である読取範囲の幅比率は、例えば±０．１１％以下にする必要がある。
【００７５】
ここで、図５に示すように、ドライバー等の工具１９ｂを用いて固定ネジ１７ａ、１７ｂを緩め、図４のｄ方向へレンズユニット１２をスライドさせると、図５に示すレンズ６の位置をその個性にあわせ、光路の長さを調整し、読取倍率を合わせることができる。
【００７６】
なお、ｄ方向は、スリット３３ａ、３３ｂと平行な方向であるため、スリット３３ａ、３３ｂの長さ４１（図７、図９参照）分だけ、レンズユニット１２はｅ方向に移動できる。
【００７７】
次に、画像読取装置２において、鉛直方向の傾きである読取位置の傾きは、例えば±０．１％以下にする必要がある。
【００７８】
そこで、図５に示すように、工具１９ａ、１９ｂを用いて先丸ネジ１４ａ、１４ｂの少なくとも一方を回転させることで、レンズユニット１２をメインフレーム９に対して傾かせ、調整板１３およびレンズユニット１２ごとＣＣＤ５を鉛直方向に傾斜させることで、読取位置の鉛直方向の傾きを微調整することができる。
【００７９】
ここで、図６に示すように、メインフレーム９において、調整板１３の端部３１ａ、３１ｂと対向する面は切り曲げ部１５ａ、１５ｂを構成している。
【００８０】
また、端部３１ａ、３１ｂの底面と切り曲げ部１５ａ、１５ｂの上面が接触するように構成されており、さらに、固定ネジ１７ａ、１７ｂのネジ頭はメインフレーム９側を向いている。
【００８１】
また、メインフレーム９の、先丸ネジ１４ａ、１４ｂの上方に相当する位置には切り欠き部３７ａ、３７ｂが設けられ、図４に示すように、メインフレーム９の上方から先丸ネジ１４ａ、１４ｂのネジ頭が見えるようになっており、さらに、先丸ネジ１４ａ、１４ｂのネジ頭はメインフレーム９側を向いている。
【００８２】
そのため、上記した調整動作においては、いずれも図５に示すように、画像読取装置２の上方（メインフレーム９側）から工具１９ａ、１９ｂを用いて先丸ネジ１４ａ、１４ｂ及び固定ネジ１７ａ、１７ｂを操作することが可能であり、図１に示すように、スキャナ２５に装着された状態でも、画像読取装置２の調整作業を容易に行うことができる。
【００８３】
なお、上述調整作業時、図５におけるミラー７ｂ〜７ｅの間に工具１９ａ、１９ｂが入るため、図１１に示すように、工具１９ａ、１９ｂが光路２０を遮ることになり、調整時に用いる調整冶具の読取位置確認用のチャートが読み取れなくなる範囲が発生する。
【００８４】
そのため、調整機構１を用いた画像読取装置２の調整に用いる調整冶具は、構造を工夫する必要がある。
【００８５】
以下、調整冶具６１の構造について、図１２を用いて簡単に説明する。
【００８６】
なお、調整冶具６１は、スキャナ２５に画像読取装置２が組み込まれた状態で、読み取り画像の主走査先端位置・傾きなどの調整が必要なときに使用する特殊治具であり、読取位置確認用のチャートの高さが読取原稿面上と等しくなるように構成されている。
【００８７】
図１２に示すように、調整機構１を用いた画像読取装置２の調整に用いる調整冶具６１は、読取位置確認用のチャートとして、レンズ性能確認用チャート６３、主走査先端位置確認チャート６５等を有しているが、遮光範囲２１にこれらの基準位置が重ならないように配置されている。
【００８８】
このように、遮光範囲２１に読取位置確認用のチャートの基準位置が重ならない構造とすることにより、画像読取装置２の調整の際に、工具１９ａ、１９ｂが光路２０を遮っても、調整の邪魔になることはない。
【００８９】
このように、本実施形態によれば、画像読取装置２の調整機構１が、調整板１３と、調整板１３とメインフレーム９を貫通して設けられた固定ネジ１７ａ、１７ｂと、調整板１３を貫通し、レンズフレーム１０に接触して設けられた先丸ネジ１４ａ、１４ｂと、レンズフレーム１０を調整板１３側に押圧する押圧バネ１８を有している。
【００９０】
そのため、画像読取装置２の調整動作においては、画像読取装置２の上方（メインフレーム９側）から先丸ネジ１４ａ、１４ｂ及び固定ネジ１７ａ、１７ｂを操作することが可能であり、スキャナ２５に装着された状態でも調整作業を容易に行うことができる。
【００９１】
また、本実施形態によれば、調整機構１を用いた画像読取装置２の調整に用いる調整冶具６１は、調整の際に工具１９ａ、１９ｂが光路２０を遮ることにより形成される遮光範囲２１に、読取位置の確認用のチャートの基準位置が重ならないように配置されている。
【００９２】
そのため、画像読取装置２の調整の際に、工具１９ａ、１９ｂが光路２０を遮っても、調整の邪魔になることはない。
【産業上の利用可能性】
【００９３】
上記した実施形態では、本発明を、スキャナ用の画像読取装置に適用した場合について説明したが、本発明は、何等、これに限定されることなく、画像を読み取る必要がある全ての装置、例えばファクシミリ等にも適用することができる。
【図面の簡単な説明】
【００９４】
【図１】スキャナ２５を示す斜視図である。
【図２】画像読取装置２を示す斜視図である。
【図３】図２の下方からの斜視図である。
【図４】画像読取装置２を示す平面図である。
【図５】図４のＢ−Ｂ断面図である。
【図６】図４中央付近のＣ−Ｃ断面図である。
【図７】図４の領域Ｄの拡大図である。
【図８】図７のＦ２−Ｆ２断面図である。
【図９】図９（ａ）は画像読取装置２の側面図、図９（ｂ）は画像読取装置２の平面図（Ｇ方向矢視図）であって、メインフレーム９およびメインフレーム９上の部材は記載を省略している。
【図１０】図９の斜視図であって、調整板１３は破線で表している。
【図１１】ＣＣＤ５から原稿１６までの光路２０を平面でイメージしたときの遮光範囲２１を示す図であって、遮光範囲２１はハッチングで表している。
【図１２】調整冶具６１を示す平面図であって、遮光範囲２１およびレンズ性能確認用チャート６３はハッチングで示している。
【符号の説明】
【００９５】
１…………調整機構
５…………ＣＣＤ
６…………レンズ
７…………ミラー群
８…………光源
９…………メインフレーム
１０………レンズフレーム
１１………ＣＣＤフレーム
１２………レンズユニット
１３………調整板
１３ｃ……ハーフパンチ
１４ａ……先丸ネジ
１５ａ……切り曲げ部
１６………原稿
１７ａ……固定ネジ
１８………押圧バネ
１９ａ……工具
２０………光路
２１………遮光範囲
３１ａ……端部
３３ａ……スリット
５１ａ……突出板
６１………調整冶具
【図１】
0004618586.tif 000002
【図２】
0004618586.tif 000003
【図３】
0004618586.tif 000004
【図４】
0004618586.tif 000005
【図５】
0004618586.tif 000006
【図６】
0004618586.tif 000007
【図７】
0004618586.tif 000008
【図８】
0004618586.tif 000009
【図９】
0004618586.tif 000010
【図１０】
0004618586.tif 000011
【図１１】
0004618586.tif 000012
【図１２】
0004618586.tif 000013